(57)【要約】本発明は，広帯域コード分割多重接続システムでＱｏＳによってハンドオーバー方式を定めて，ＱｏＳ等級が低い呼に対してハードハンドオーバーを遂行してチャネル資源の浪費を最小化するＷＣＤＭＡシステムのサービス品質を利用したハンドオーバー設定方法及びシステムであって，回線網とパケット網を介して電話またはマルチメディアサービスを利用し，呼接続維持状態で現在のセルから他の隣り合うセルに移動するハンドオーバーが発生する際，ＱｏＳ等級が低い場合，基地局からハードハンドオーバーに対する信号を受信してハードハンドオーバーを遂行する移動端末機と，ＱｏＳ等級移動端末機との無線接続終端機能を遂行し，音声，映像及びデータトラフィックをＷＣＤＭＡ方式で送受信する基地局と，ＱｏＳ等級移動端末機の呼接続状態を把握して，ＱｏＳ等級呼接続状態のＱｏＳ等級が低い場合，ＱｏＳ等級移動端末機に対してハードハンドオフを遂行する非同期方式の無線制御局と，を含む。
2006526356.tif 000002
【特許請求の範囲】
【請求項１】
ＱｏＳ（Ｑｕａｌｉｔｙ  ｏｆ  Ｓｅｒｖｉｃｅ）によってハンドオーバー方式を定めて，前記ＱｏＳ等級が低い呼に対してハードハンドオーバーを遂行する広帯域コード分割多重接続（ＷＣＤＭＡ）システムのサービス品質を利用したハンドオーバー設定システムであって，
回線網（ＣＳＮ：Ｃｉｒｃｕｉｔ  Ｓｗｉｔｃｈｅｄ  Ｎｅｔｗｏｒｋ）とパケット網（ＰＳＮ：Ｐａｃｋｅｔ  Ｓｗｉｔｃｈｅｄ  Ｎｅｔｗｏｒｋ）を介して電話通話またはマルチメディアサービスを利用し，呼接続維持状態で現在位置したセルから他の隣り合うセルに移動するハンドオーバーが発生する際，前記ＱｏＳ等級が低い場合，基地局からハードハンドオーバーに対する信号を受信してハードハンドオーバーを遂行する移動端末機と；
前記移動端末機との無線接続終端機能を遂行し，音声，映像及びデータをＷＣＤＭＡ方式で送受信する基地局（Ｎｏｄｅ  Ｂ）と；
前記移動端末機の呼接続状態を把握して，前記呼接続状態の前記ＱｏＳが下位等級の場合，前記移動端末機に対してハードハンドオフを遂行する非同期方式の無線制御局（ＲＮＣ：Ｒａｄｉｏ  Ｎｅｔｗｏｒｋ  Ｃｏｎｔｒｏｌｌｅｒ）と；
を含むことを特徴とする，広帯域コード分割多重接続システムのサービス品質を利用したハンドオーバー設定システム。
【請求項２】
前記移動端末機は，パケット網である非同期式ＷＣＤＭＡ網を利用してマルチメディアサービスの提供を受けて，回線網であるＩＳ−９５Ｂ（Ｉｎｔｅｒｉｍ  Ｓｔａｎｄａｒｄ−９５Ｂ）網を利用して電話通話を遂行することを特徴とする，請求項１に記載の広帯域コード分割多重接続システムのサービス品質を利用したハンドオーバー設定システム。
【請求項３】
前記移動端末機はＩＳ−９５ＢシステムとＷＣＤＭＡシステムとに共に対応するハイブリッド接続端末機（ＨＡＴ：Ｈｙｂｒｉｄ  Ａｃｃｅｓｓ  Ｔｅｒｍｉｎａｌ）であることを特徴とする，請求項１に記載の広帯域コード分割多重接続システムのサービス品質を利用したハンドオーバー設定システム。
【請求項４】
前記ＷＣＤＭＡシステムは，
電話通話やマルチメディアサービスを送受信する機能と呼処理を高速にするためのソフトスイッチング（Ｓｏｆｔ  Ｓｗｉｔｃｈｉｎｇ）を実行する移動通信交換局と；
前記移動端末機から位置情報を受信し，登録認識，登録削除，位置確認を含む機能を遂行するホーム位置登録器（ＨＬＲ：Ｈｏｍｅ  Ｌｏｃａｔｉｏｎ  Ｒｅｇｉｓｔｅｒ）と；
前記移動通信交換局の所轄領域に入ってくる前記移動端末機の位置情報を登録及び管理し，新しく獲得した前記移動端末機の位置情報を前記ホーム位置登録器に通知する機能を遂行する訪問者位置登録器（ＶＬＲ：Ｖｉｓｉｔｏｒ  Ｌｏｃａｔｉｏｎ  Ｒｅｇｉｓｔｅｒ）と；
ＧＰＲＳ（Ｇｅｎｅｒａｌ  Ｐａｃｋｅｔ  Ｒａｄｉｏ  Ｓｅｒｖｉｃｅ）サービスのためにＡＴＭ（Ａｓｙｎｃｈｒｏｎｏｕｓ  Ｔｒａｎｓｆｅｒ  Ｍｏｄｅ）基盤のスイッチ及びルーティング接続を提供するハードウェア構造を備え，データサービス処理を支援するＯＳ（Ｏｐｅｒａｔｉｎｇ  Ｓｙｓｔｅｍ）を備えるサービスＧＰＲＳ支援ノード（ＳＧＳＮ：Ｓｅｒｖｉｎｇ  ＧＰＲＳ  Ｓｕｐｐｏｒｔ  Ｎｏｄｅ）と；
前記データサービスのための高速のパケットデータサービスを前記パケット網に提供し，前記データサービスの移動性提供及び各種データ関連プロトコル処理機能を遂行するゲートウェイＧＰＲＳ支援ノード（ＧＧＳＮ：Ｇａｔｅｗａｙ  ＧＰＲＳ  Ｓｕｐｐｏｒｔ  Ｎｏｄｅ）と；
運用者が通信のための各種パラメータを設定するか各種パラメータを管理し，前記ＱｏＳによって前記ハードハンドオーバーまたはソフトハンドオーバーを設定する要素管理局（ＥＭＳ：Ｅｌｅｍｅｎｔ  Ｍａｎａｇｅｍｅｎｔ  Ｓｙｓｔｅｍ）と；
を含むことを特徴とする，請求項１に記載の広帯域コード分割多重接続システムのサービス品質を利用したハンドオーバー設定システム。
【請求項５】
前記無線制御局は，有無線チャネル管理，前記移動端末機のプロトコル整合，前記基地局のプロトコル整合，ソフトハンドオフ（Ｓｏｆｔ  Ｈａｎｄｏｆｆ）処理，核心網プロトコル処理，ＧＰＲＡ（Ｇｅｎｅｒａｌ  Ｐａｃｋｅｔ  Ｒａｄｉｏ  Ｓｅｒｖｉｃｅ）接続，障害管理及びシステムローディング（Ｌｏａｄｉｎｇ）を含んだ機能を遂行することを特徴とする請求項１に記載の広帯域コード分割多重接続システムのサービス品質を利用したハンドオーバー設定システム。
【請求項６】
前記ＱｏＳ等級は，
音声電話や映像電話サービスを含むリアルタイムトラフィック伝送サービスを表す対話形クラス（Ｃｏｎｖｅｒｓａｔｉｏｎ  Ｃｌａｓｓ）と；
ストリーミング形態でデータを提供するリアルタイムトラフィック伝送サービスを表すストリーミング型クラス（Ｓｔｒｅａｍｉｎｇ  Ｃｌａｓｓ）と；
ワールドワイドウェブ（ＷＷＷ：Ｗｏｒｌｄ  Ｗｉｄｅ  Ｗｅｂ）とテルネット（Ｔｅｌｎｅｔ）を含んで相互作用があるアプリケーションのためのサービスを表す双方向型クラス（Ｉｎｔｅｒａｃｔｉｖｅ  Ｃｌａｓｓ）と；
電子メール伝送やダウンロードを含むサービスを表すバックグラウンドクラス（Ｂａｃｋｇｒｏｕｎｄ  Ｃｌａｓｓ）と；
を含むことを特徴とする，請求項１に記載の広帯域コード分割多重接続システムのサービス品質を利用したハンドオーバー設定システム。
【請求項７】
トラフィック優先順位が最優先である前記双方向型クラスを１等級，前記対話形クラスを２等級，前記ストリーミング型クラスを３等級，前記双方向型クラスを４等級及び５等級，前記バックグラウンドクラスを６等級に定めた後，前記ＱｏＳ等級が低い４等級〜６等級に対してハードハンドオフを遂行することを特徴とする，請求項６に記載の広帯域コード分割多重接続システムのサービス品質を利用したハンドオーバー設定システム。
【請求項８】
ＱｏＳによってハンドオーバー方式を定めて，前記ＱｏＳ等級が低い呼に対してハードハンドオーバーを遂行する広帯域コード分割多重接続（ＷＣＤＭＡ）システムのサービス品質を利用したハンドオーバー設定方法であって，
（ａ）移動端末機の呼接続要求により前記移動端末機と呼接続されたステップと，
（ｂ）前記移動端末機にハンドオーバーのための測定制御（Ｍｅａｓｕｒｅｍｅｎｔ  Ｃｏｎｔｒｏｌ）メッセージを送出するステップと，
（ｃ）前記ＱｏＳを判断して新しい無線リンクを設定するステップと，
（ｄ）ハンドオーバー対象基地局に無線リンク設定要請（Ｒａｄｉｏ  Ｌｉｎｋ  Ｓｅｔｕｐ  Ｒｅｑｕｅｓｔ）メッセージを伝送して前記ハンドオーバー対象基地局とデータ伝送経路（Ｄａｔａ  Ｔｒａｎｓｐｏｒｔ  Ｂｅａｒｅｒ）を設定するステップと，
（ｅ）前記ハンドオーバー対象基地局とデータ伝送の同期メッセージを送受信するステップと，
（ｆ）前記移動端末機にアクティブセットアップデート命令（Ａｃｔｉｖｅ  Ｓｅｔ  Ｕｐｄａｔｅ  Ｃｏｍｍａｎｄ）メッセージを伝送してハードハンドオーバーを実行するステップと，
（ｇ）原基地局に無線リンク削除要請（Ｒａｄｉｏ  Ｌｉｎｋ  Ｄｅｌｅｔｉｏｎ  Ｒｅｑｕｅｓｔ）メッセージを伝送して前記原基地局とデータ伝送経路を解除するステップと，
を含むことを特徴とする，広帯域コード分割多重接続システムのサービス品質を利用したハンドオーバー設定方法。
【請求項９】
前記ステップ（ｃ）において，前記新しい無線リンクは前記ＱｏＳが低い場合，ハードハンドオーバーを遂行する無線リンクであり，前記ＱｏＳが高い場合，ソフトハンドオーバーを遂行する無線リンクを表すことを特徴とする，請求項８に記載の広帯域コード分割多重接続システムのサービス品質を利用したハンドオーバー設定方法。
【請求項１０】
前記ステップ（ｄ）において，
前記ハンドオーバー対象基地局から無線リンク設定応答（Ｒａｄｉｏ  Ｌｉｎｋ  Ｓｅｔｕｐ  Ｒｅｓｐｏｎｓｅ）メッセージを受信すると，前記データ伝送経路を設定することを特徴とする，請求項８に記載の広帯域コード分割多重接続システムのサービス品質を利用したハンドオーバー設定方法。
【請求項１１】
前記ステップ（ｅ）において，
前記ハンドオーバー対象基地局からデータ伝送経路が設定されたことを知らせる無線リンク活性化表示（Ｒａｄｉｏ  Ｌｉｎｋ  Ｒｅｓｔｏｒｅ  Ｉｎｄｉｃａｔｉｏｎ）メッセージを受信した後，データ伝送のためのデータチャネル−フレームプロトコル（ＤＣＨ−ＦＰ：Ｄａｔａ  ＣＨａｎｎｅｌ−Ｆｒａｍｅ  Ｐｒｏｔｏｃｏｌ）を利用して前記ハンドオーバー対象基地局にダウンリンク同期（Ｄｏｗｎｌｉｎｋ  Ｓｙｎｃｈｒｏｎｉｚａｔｉｏｎ）メッセージを伝送し，前記ハンドオーバー対象基地局からアップリンク同期（Ｕｐｌｉｎｋ  Ｓｙｎｃｈｒｏｎｉｚａｔｉｏｎ）メッセージを受信することを特徴とする，請求項８に記載の広帯域コード分割多重接続システムのサービス品質を利用したハンドオーバー設定方法。
【請求項１２】
前記ステップ（ｆ）において，
前記移動端末機は無線制御局からアクティブセットアップデート命令メッセージを受信してハードハンドオーバーを遂行した後，前記無線制御局にハードハンドオーバーを遂行したことを知らせるアクティブセットアップデート完了（Ａｃｔｉｖｅ  Ｓｅｔ  Ｕｐｄａｔｅ  Ｃｏｍｐｌｅｔｅ）メッセージを伝送することを特徴とする，請求項８に記載の広帯域コード分割多重接続システムのサービス品質を利用したハンドオーバー設定方法。
【請求項１３】
前記ステップ（ｇ）は，
前記移動端末機から無線リンク解除応答（Ｒａｄｉｏ  Ｌｉｎｋ  Ｒｅｌｅａｓｅ  Ｒｅｓｐｏｎｓｅ）メッセージを受信した後，前記データ伝送経路を解除することを特徴とする，請求項８に記載の広帯域コード分割多重接続システムのサービス品質を利用したハンドオーバー設定方法。
【請求項１４】
前記移動端末機はパケット網である非同期式ＷＣＤＭＡ網を利用してマルチメディアサービスを受信し，回線網であるＩＳ−９５Ｂ（Ｉｎｔｅｒｉｍ  Ｓｔａｎｄａｒｄ−９５Ｂ）網を利用して電話の通話を行うことを特徴とする，請求項８に記載の広帯域コード分割多重接続システムのサービス品質を利用したハンドオーバー設定方法。
【請求項１５】
前記ＱｏＳ等級は，
音声電話や映像電話サービスを含むリアルタイムトラフィック伝送サービスを表す対話形クラス（Ｃｏｎｖｅｒｓａｔｉｏｎ  Ｃｌａｓｓ）と，
ストリーミング形態でデータを提供するリアルタイムトラフィック伝送サービスを表すストリーミング型クラス（Ｓｔｒｅａｍｉｎｇ  Ｃｌａｓｓ）と，
ワールドワイドウェブ（ＷＷＷ：Ｗｏｒｌｄ  Ｗｉｄｅ  Ｗｅｂ）とテルネット（Ｔｅｌｎｅｔ）を含んで相互作用があるアプリケーションのためのサービスを表す双方向型クラス（Ｉｎｔｅｒａｃｔｉｖｅ  Ｃｌａｓｓ）と，
電子メール伝送やダウンロードを含むサービスを表すバックグラウンドクラス（Ｂａｃｋｇｒｏｕｎｄ  Ｃｌａｓｓ）と，
を含むことを特徴とする，請求項８に記載の広帯域コード分割多重接続システムのサービス品質を利用したハンドオーバー設定方法。
【請求項１６】
トラフィック優先順位が最優先である前記双方向型クラスを１等級，前記対話形クラスを２等級，前記ストリーミング型クラスを３等級，前記双方向型クラスを４等級及び５等級，前記バックグラウンドクラスを６等級に定め，前記ＱｏＳ等級が低い４等級〜６等級に対してハードハンドオフを遂行することを特徴とする請求項１５に記載の広帯域コード分割多重接続システムのサービス品質を利用したハンドオーバー設定方法。
【発明の詳細な説明】
【技術分野】
【０００１】
本発明は，ＷＣＤＭＡシステムのサービス品質を利用したハンドオーバー設定方法及びシステムに関し，より詳しくは，ＷＣＤＭＡシステムでＱｏＳによってハンドオーバー方式を定め，ＱｏＳ等級が低い呼に対してはハードハンドオーバーを遂行してチャネル資源の浪費を最小化するＷＣＤＭＡシステムのサービス品質を利用したハンドオーバー設定方法及びシステムに関する。
【背景技術】
【０００２】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）通信方式は，ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００で勧告する非同期方式の無線プロトコルとして帯域拡散方式を使用しているので，多量のデータ伝送に適合し，非常に高い通呼品質を有する。このようなＷＣＤＭＡ方式は音声コーディングのために３２Ｋｂｐｓ  ＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）を採択し，使用者が時速１００ｋｍ程度の速度で動いても通話可能な程度の高い移動性に対応する。
【０００３】
このようなＷＣＤＭＡシステムは１つの無線基地局や基地局制御器にサーキットモード（Ｃｉｒｃｕｉｔ  Ｍｏｄｅ）とパケットモード（Ｐａｃｋｅｔ  Ｍｏｄｅ）がハードウェア的に混用されて構成され，かつ，各々独立的に動作する。言い換えると，基地局伝送器にはサーキットモードを担当するチャネルカード（Ｃｈａｎｎｅｌ  Ｃａｒｄ）とパケットモードを担当するチャネルカードが各々備えられている。また，基地局制御器にもパケットモードで送受信されるデータを処理するデータ処理ボードとサーキットモードで送受信される音声信号を処理する信号処理ボードが各々備えられている。これによって，無線基地局や基地局制御器などの移動通信システムで移動通信端末機にマルチメディアデータが伝送される際はパケットモードで伝送され，音声の場合はサーキットモードで伝送される。
【０００４】
ＷＣＤＭＡシステムから移動通信端末機にマルチメディアサービスを受信している時に使用者が移動中の場合，移動通信端末機を使用している使用者は他の基地局や基地局内の他のセクター領域へ移動する場合がある。この際，移動通信端末機はハンドオーバー（Ｈａｎｄ−ｏｖｅｒ）を遂行することになる。ハンドオーバーは移動通信端末機が現在サービスを受信している基地局内のセクターサービス領域を外れても継続的に通話が維持できるように移動通信端末機と基地局との間の通話路を切替える技術をいう。
【０００５】
図１はＷＣＤＭＡ方式ＩＭＴ−２０００システムの順方向専用物理チャネルのスロット配列を例示的に示す図である。
【０００６】
図１に示すように，基地局（ＢＴＳ）は順方向（Ｄｏｗｎｌｉｎｋ）の専用物理チャネル，即ち，ＤＰＣＣＨ（Ｄｅｄｉｃａｔｅｄ  Ｐｈｙｓｉｃａｌ  Ｃｏｎｔｒｏｌ  ＣＨａｎｎｅｌ）のＴＰＣ（Ｔｒａｎｓｍｉｔｔｅｒ  Ｐｏｗｅｒ  Ｃｏｎｔｒｏｌ）スロットを利用して１秒に約１，５００回の出力増加／出力減少を表すバイナリ情報を移動端末機に伝送する。
【０００７】
移動端末機は基地局（ＢＴＳ）からの出力制御（Ｐｏｗｅｒ  Ｃｏｎｔｒｏｌ）命令によって，送信出力（Ｔｒａｎｓｍｉｓｓｉｏｎ  Ｐｏｗｅｒ）を一定範囲（０.５〜１ｄＢ）内で調節する。
【０００８】
移動端末機は混雑モード（Ｃｏｎｇｅｓｔｉｏｎ  Ｍｏｄｅ）と正常モード（Ｎｏｒｍａｌ  Ｍｏｄｅ）の２つのモードを有する。ここで，混雑モードは基地局（ＢＴＳ）から受ける出力制御命令が連続的にＮ回発生し，このような出力制御命令が出力増加命令の場合のモードをいう。この際，もし移動端末機がソフトハンドオーバー中であればソフトハンドオーバー中の全ての基地局から連続にＮ回電力増加命令を受ける場合を意味する。一方，正常モードは基地局に対して位置登録を実行し，基地局から着信呼を受信することができるように待機する動作モードである。
【０００９】
基地局（ＢＴＳ）から出力増加命令が連続的にＮ回以上発生すれば，移動端末機はセル探索機能を利用して周辺基地局（Ｎｅｉｇｈｂｏｒｉｎｇ  ＢＴＳ）を探索する。以後，基地局は探索された基地局とソフトハンドオーバーを開始する。即ち，パイロットチャネル（Ｐｉｌｏｔ  Ｃｈａｎｎｅｌ）の受信感度が最も良い基地局とソフトハンドオーバー手順を始めるものである。
【００１０】
ソフトハンドオーバーは，移動端末機が他のセルに移動する過程でセルの境界地域へ移動する際，隣接セルと同一な周波数帯域で無線リンクを設定して移動端末機が複数個の無線リンクを設定する方式である。
【００１１】
このようなソフトハンドオーバー方式は移動端末機が移動する際，無線リンクを追加した後，複数個の無線リンクを同時に設定するので，呼断絶及びビット率の変動が発生せず，サービスの連続性は保障される。しかしながら，移動端末機に対してチャネルが複数個割当てられるので，基地局ではチャネル資源の浪費が発生することになる。さらに，ＷＣＤＭＡシステムの専用チャネルに対しては全てソフトハンドオーバーで処理するので，チャネル資源の過度の浪費が生じるという問題があった。
【発明の開示】
【発明が解決しようとする課題】
【００１２】
前記の問題を解決するために，本発明は，広帯域コード分割多重接続システムでＱｏＳによってハンドオーバー方式を定めて，ＱｏＳが低い呼に対してハードハンドオーバーを遂行してチャネル資源の浪費を最小化するＷＣＤＭＡシステムのサービス品質を利用したハンドオーバー設定方法及びシステムを提供することをその目的とする。
【課題を解決するための手段】
【００１３】
上記の目的の達成のために，本発明は，ＱｏＳによってハンドオーバー方式を定めて，ＱｏＳ等級が低い呼に対してハードハンドオーバーを遂行する広帯域コード分割多重接続システムのサービス品質を利用したハンドオーバー設定システムであって，回線網とパケット網を介して電話通話またはマルチメディアサービスを利用し，呼接続維持状態で現在位置したセルから他の隣り合うセルに移動するハンドオーバーが発生する際，ＱｏＳ等級が低い場合，基地局からハードハンドオーバーに対する信号を受信してハードハンドオーバーを遂行する移動端末機と，３ＧＰＰ無線接続規格に従うのであり，前記移動端末機との無線接続終端機能を遂行し，音声，映像及びデータトラフィックをＷＣＤＭＡ方式で送受信する基地局と，前記移動端末機の呼接続状態を把握して，呼接続状態のＱｏＳ等級が下位等級の場合，前記移動端末機に対してハードハンドオフを遂行する非同期方式の無線制御局と，を含むことを特徴とする。
【００１４】
また，本発明の他の目的によれば，ＱｏＳによってハンドオーバー方式を定めて，ＱｏＳ等級が低い呼に対してハードハンドオーバーを遂行する広帯域コード分割多重接続ステムのサービス品質を利用したハンドオーバー設定方法であって，（ａ）移動端末機の呼接続要求により前記移動端末機と呼接続されたステップと，（ｂ）前記移動端末機にハンドオーバーのための測定制御メッセージを送出するステップと，（ｃ）前記移動端末機のＱｏＳを判断して新しい無線リンクを設定するステップと，（ｄ）ハンドオーバー対象基地局に無線リンク設定要請メッセージを伝送して前記ハンドオーバー対象基地局とデータ伝送経路を設定するステップと，（ｅ）前記ハンドオーバー対象基地局とデータ伝送の同期メッセージを送受信するステップと，（ｆ）前記移動端末機にアクティブセットアップデート命令メッセージを伝送してハードハンドオーバーを実行するステップと，（ｇ）ハンドオーバー原基地局に無線リンク削除要請メッセージを伝送して前記ハンドオーバー原基地局とデータ伝送経路を解除するステップと，を含むことを特徴とする。
【発明の効果】
【００１５】
以上，説明したように，本発明によれば，ＱｏＳ等級が低いベアラー（Ｂｅａｒｅｒ）に対してはハードハンドオーバーを遂行することになることによって，チャネル資源の浪費を最小化することができる。
【発明を実施するための最良の形態】
【００１６】
以下，本発明の好ましい実施形態を添付の図面を参照しつつ詳細に説明する。
【００１７】
まず，各図面の構成要素に参照符号を与えることにおいて，同一な構成要素に対しては，たとえ他の図面上に表示されてもできる限り同一な符号を与えていることに留意しなければならない。また，本発明の説明において，関連した公知構成または機能に対する具体的な説明が本発明の要旨を曖昧にすることができると判断される場合にはその詳細な説明は省略する。
【００１８】
ＷＣＤＭＡ網ではＱｏＳ等級（Ｓｅｒｖｉｃｅ  Ｑｕａｌｉｔｙ  Ｃｌａｓｓ）を対話形クラス（Ｃｏｎｖｅｒｓａｔｉｏｎ  Ｃｌａｓｓ），ストリーミング型クラス（Ｓｔｒｅａｍｉｎｇ  Ｃｌａｓｓ），双方向型クラス（Ｉｎｔｅｒａｃｔｉｖｅ  Ｃｌａｓｓ），バックグラウンド型クラス（Ｂａｃｋｇｒｏｕｎｄ  Ｃｌａｓｓ）に分ける。
【００１９】
対話形クラスは音声電話や映像電話のように，主にリアルタイムトラフィック伝送に使われるものであって，伝送遅延に非常に敏感なサービスである。ストリーミング型クラスは動映像データなどストリーミング形態でデータを提供するリアルタイムトラフィック伝送サービスであって，伝送遅延に敏感であるが，対話形クラスよりは伝送遅延にあまり敏感ではないなサービスである。一方，双方向型クラスはワールドワイドウェブ（ＷＷＷ：Ｗｏｒｌｄ  Ｗｉｄｅ  Ｗｅｂ）やテルネット（Ｔｅｌｎｅｔ）のように相互作用があるアプリケーションのためのサービスであり，バックグラウンド型クラスは電子メール（Ｅ−ｍａｉｌ）伝送，ダウンロード（Ｄｏｗｎｌｏａｄｉｎｇ）などが挙げられる。
【００２０】
これらのクラスの中で，双方向型クラスとバックグラウンド型クラスは主にインターネットアプリケーションに使われるサービスであって，伝送遅延に対して対話形クラスやストリーミングクラスに比べてあまり敏感ではない。したがって，双方向型クラスとバックグラウンド型クラスは，再伝送技法などを適用する場合，対話形クラスやストリーミング型クラスに比べて伝送エラーを最小化することができる。
【００２１】
本発明は前記のようなトラフィックサービスの分類に基づいてサービス品質と関連して次のようなパラメータを定義する。
１）最大伝送率（Ｍａｘｉｍｕｍ  Ｂｉｔ  Ｒａｔｅ）：伝送できる最大ビット数（ｋｂｐｓ）
２）保障伝送率（Ｇｕａｒａｎｔｅｅｄ  Ｂｉｔ  Ｒａｔｅ）：伝送が保障されるべきビット数（ｋｂｐｓ）
３）伝送オーダー（Ｄｅｌｉｖｅｒｙ  Ｏｒｄｅｒ）：パケット伝送が順次になされなければならないのか，でなければ非順次になされても受け入れることができるのかを知らせるパラメータ
４）最大ＳＤＵ（Ｍａｘｉｍｕｍ  Ｓｅｒｖｉｃｅ  Ｄａｔａ  Ｕｎｉｔ）サイズ（Ｓｉｚｅ）：許容可能な最大ＳＤＵの大きさ
５）ＳＤＵフォーマット情報（Ｆｏｒｍａｔ  Ｉｎｆｏｒｍａｔｉｏｎ）:ＳＤＵの大きさの可能なリスト
６）ＳＤＵエラー率（Ｅｒｒｏｒ  Ｒａｔｉｏ）：ＳＤＵにエラーが発生する比率
７）残余ビットエラー率（Ｒｅｓｉｄｕａｌ  Ｂｉｔ  Ｅｒｒｏｒ  Ｒａｔｉｏ）：伝送されたＳＤＵ内の各副流れ（Ｓｕｂｆｌｏｗ）における非検出ビットエラー率（Ｕｎｄｅｔｅｃｔｅｄ  Ｂｉｔ  Ｅｒｒｏｒ  Ｒａｔｉｏ）
８）エラーＳＤＵの伝送（Ｄｅｌｉｖｅｒｙ  ｏｆ  Ｅｒｒｏｎｅｏｕｓ  ＳＤＵｓ）：エラーにより検出されたＳＤＵの伝送の可否を決定するパラメータ
９）伝送遅延（Ｔｒａｎｓｆｅｒ  Ｄｅｌａｙ）：ベアラーサービス（Ｂｅａｒｅｒ  Ｓｅｒｖｉｃｅ）が提供されている間，全ての伝送ＳＤＵの遅延を表すパラメータ
１０）トラフィック優先順位（Ｔｒａｆｆｉｃ  Ｈａｎｄｌｉｎｇ  Ｐｒｉｏｒｉｔｙ）：トラフィックをスケジュールリング（Ｓｃｈｅｄｕｌｉｎｇ）する時に使用する優先順位
【００２２】
図２は本発明の実施形態に係る，ＱｏＳを利用してハンドオーバーを設定するＷＣＤＭＡシステムの構成を概略的に示す構成図である。
【００２３】
本発明に係るＷＣＤＭＡシステム２００は，移動端末機２１０と，無線基地局（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）２２０と，移動交換局（ＭＳＣ：Ｍｏｂｉｌｅ  Ｓｗｉｔｃｈｉｎｇ  Ｃｅｎｔｅｒ）２３０と，ホーム位置登録器（ＨＬＲ：Ｈｏｍｅ  Ｌｏｃａｔｉｏｎ  Ｒｅｇｉｓｔｅｒ，以下,‘ＨＬＲ’と言う）２３２と，訪問者位置登録器（ＶＬＲ：Ｖｉｓｉｔｏｒ  Ｌｏｃａｔｉｏｎ  Ｒｅｇｉｓｔｅｒ，以下，‘ＶＬＲ’と言う）２３４と，ＳＧＳＮ（Ｓｅｒｖｉｎｇ  ＧＰＲＳ  Ｓｕｐｐｏｒｔ  Ｎｏｄｅ）２４０と，ＧＧＳＮ（Ｇａｔｅｗａｙ  ＧＰＲＳ  Ｓｕｐｐｏｒｔ  Ｒｅｇｉｓｔｅｒ）２５０と，パケットデータ網（ＰＤＮ：Ｐａｃｋｅｔ  Ｄａｔａ  Ｎｅｔｗｏｒｋ，以下，‘ＰＤＮ’と言う）２６０とを含む。
【００２４】
本発明に係る移動端末機２１０は，呼接続維持状態で現在位置したセルから他の隣り合うセルに移動してハンドオーバーが発生する際に，ＱｏＳ等級が低い場合，基地局からハードハンドオーバーに対する信号を受信してハードハンドオーバーを遂行する。一方，本発明の実施形態に係る移動端末機には携帯電話だけでなくＰＤＡなども含まれる。
【００２５】
無線基地局２２０は既存のＩＳ−９５ＢシステムでＷＣＤＭＡを支援するための別途の機能が追加された基地局（Ｎｏｄｅ  Ｂ）２２２と無線制御局（ＲＮＣ：Ｒａｄｉｏ  Ｎｅｔｗｏｒｋ  Ｃｏｎｔｒｏｌｌｅｒ）２２４を含む。基地局（Ｎｏｄｅ  Ｂ）２２２は３ＧＰＰ無線接続規格による移動端末機２１０との無線接続終端機能を遂行し，音声，映像及びデータトラフィック（Ｔｒａｆｆｉｃ）をＷＣＤＭＡ方式で送受信する機能と送受信アンテナを通じて移動端末機２１０との情報を送受信する機能を有する。一般的に基地局（Ｎｏｄｅ  Ｂ）２２２の内部サブシステムは基地局整合サブシステム（ＢＩＳ：Ｂａｓｅｓｔａｔｉｏｎ  Ｉｎｔｅｒｃｏｎｎｅｃｔｉｏｎ  Ｓｕｂｓｙｓｔｅｍ），基底帯域サブシステム（ＢＢＳ：Ｂａｓｅ  Ｂａｎｄ  Ｓｕｂｓｙｓｔｅｍ）及びＲＦサブシステム（Ｒａｄｉｏ  Ｆｒｅｑｕｅｎｃｙ  Ｓｕｂｓｙｓｔｅｍ）からなる。
【００２６】
無線制御局２２４は有無線チャネル管理，移動端末機２１０のプロトコル整合，基地局プロトコル整合，ソフトハンドオフ（Ｓｏｆｔ  Ｈａｎｄｏｆｆ）処理，基幹回線網プロトコル処理，ＧＰＲＳ（Ｇｅｎｅｒａｌ  Ｐａｃｋｅｔ  Ｒａｄｉｏ  Ｓｅｒｖｉｃｅ）接続，障害管理，システムローディング（Ｌｏａｄｉｎｇ）などの機能を担当する。ここで，ＧＰＲＳは１１５Ｋｂｐｓのデータ伝送速度に対応し，マルチメディアメールを提供し，パケット単位のデータ伝送で伝送回線の効率を極大化する非同期方式の通信サービスである。
【００２７】
要素管理システム（ＥＭＳ：Ｅｌｅｍｅｎｔ  Ｍａｎａｇｅｍｅｎｔ  Ｓｙｓｔｅｍ）２２６は運用者が移動通信のための各種パラメータを装置に直接設定するか，各種パラメータを管理し，本発明では運用者がＱｏＳによってハードハンドオーバーまたはソフトハンドオーバーを設定しておくことになる。
【００２８】
移動通信交換局２３０は既存のＣＤＭＡ２０００網での電話通話のための基本的なスイッチング機能の他にも呼処理を高速で行うためのソフトスイッチング（Ｓｏｆｔ  Ｓｗｉｔｃｈｉｎｇ）構造を有する。ここで，ソフトスイッチングは従来の交換機のサーキット（Ｃｉｒｃｕｉｔ）スイッチをソフトウェアスイッチで具現して，音声，データ及び映像信号を高速のパケットスイッチで処理できる技術である。
【００２９】
ＨＬＲ２３２はＶＬＲ２３４から移動端末機２１０の位置情報を受信し，登録認識，登録削除，位置確認などの機能を遂行する。また，ＨＬＲ２３２は訪問者位置登録器２３４から受信した位置情報を利用して移動端末機２１０が最初に加入したホーム位置登録器から移動端末機２１０のプロファイル情報を取得する。また，ＨＬＲ２３２は自身に位置登録されている移動端末機２１０の接続状態をチェックして移動端末機２１０が待機（Ｉｄｌｅ）モードなのか，活性（Ａｃｔｉｖｅ）モードなのかをチェックして，活性モードならば回線網に接続しているか，パケット網に接続しているかを持続的にチェックする。
【００３０】
ＶＬＲ２３４は移動通信交換局２３０のサービス領域に入る移動端末機２１０の位置情報を登録して管理し，新しく獲得した移動端末機２１０の位置情報をＨＬＲ２３２に通知する機能を遂行する。また，ＨＬＲ２３２から移動端末機２１０のプロファイル（Ｐｒｏｆｉｌｅ）情報を複製して管理しながら，移動端末機２１０の位置制御，呼処理などに活用する機能を遂行する。図２では説明の便宜上，ＶＬＲ２３４が移動通信交換局２３０の外部に別に設けられるように図示されているが，移動通信交換局２３０の内部に設けられることが一般的である。
【００３１】
ＳＧＳＮ２４０はＧＰＲＳサービスのためにＡＴＭ（Ａｓｙｎｃｈｒｏｎｏｕｓ  Ｔｒａｎｓｆｅｒ  Ｍｏｄｅ）基盤のスイッチ及びルーティング接続を提供するハードウェア構造を備え，各種データサービスを処理するためのＯＳ（Ｏｐｅｒａｔｉｎｇ  Ｓｙｓｔｅｍ）を備える。ＯＳの主要機能はＧＰＲＳ移動性管理，ＧＰＲＳセッション（Ｓｅｓｓｉｏｎ）管理，ＧＰＲＳ認証及び課金機能等から構成されている。
【００３２】
ＧＧＳＮ２５０はＧＰＲＳのデータサービスのための高速のパケットデータサービスを提供するＩＰ（Ｉｎｔｅｒｎｅｔ  Ｐｒｏｔｏｃｏｌ）基盤パケット網のサービングノード（Ｓｅｒｖｉｎｇ  Ｎｏｄｅ）であって，パケットデータ網２６０と連結されて，パケットデータサービスの移動性提供及び各種データ関連プロトコル処理機能を遂行する。また，ＧＧＳＮ２５０は，アドレス割当，ドメインアドレス変更，課金情報及びメンテナンス機能を提供する。
【００３３】
図３は，移動端末機２１０の内部構成を概略的に示すブロック構成図である。
【００３４】
移動端末機２１０は，プログラムメモリ３０２と，キー入力部３０４と，ＬＣＤ表示部３０６と，データ格納部３０８と，モード状態格納部３１０と，加入者情報格納部（ＳＩＭ：Ｓｕｂｓｃｒｉｂｅｒ  Ｉｄｅｎｔｉｔｙ  Ｍｏｄｕｌｅ）３１２と，マイクロプロセッサ３１４と，ＤＳＰ（Ｄｉｇｉｔａｌ  Ｓｉｇｎａｌ  Ｐｒｏｃｅｓｓｏｒ）３１６と，ベースバンド変換部３１８と，スピーカ３２０と，マイクロホン３２２と，アンテナ３２４と，ＲＦ信号処理部３２６と等を含んだ構成を有する。
【００３５】
プログラムメモリ３０２は移動通信網を通じて通常的な無線電話通話を遂行する機能を実現する一方，規定のプロトコルによって送受信データを処理する通信プロトコルソフトウェアを格納している。特に，移動端末機２１０は無線基地局２２０からハンドオーバーに対するメッセージを受信すると，無線基地局２２０に対しソフトハンドオーバーまたはハードハンドオーバーを実行するプログラムが格納されている。
【００３６】
キー入力部３０４は電話番号などの数字を入力するための数字ボタンとメニューを選択するか命令を入力するためのメニュー選択ボタンを備えている。
【００３７】
ＬＣＤ表示部３０６は電源の使用程度，電波の受信強度，日付と時間を含んで，移動端末機１０の全般的な動作状態を表示する機能を有する。
【００３８】
データ格納部３０８は移動端末機２１０の動作時にマイクロプロセッサ３１４を通じてデータのバッファを送受信する役割を遂行し，外部から受信したデータを格納し，キー入力部３０４から入力された数字データなども格納する。
【００３９】
モード状態格納部３１０は移動端末機３１０の動作モードを状態フラグに格納する。ここで，動作モードはキー入力部３０４により選択される。
【００４０】
加入者情報格納部３１２には移動電話通信のための加入者端末機登録情報が格納されている。ここで，加入者端末機登録情報は移動通信網から加入者端末機毎に与えられる固有番号であり，加入者情報格納部３１２はカード形態で構成されて移動端末機３１０に挿入するようになっている。
【００４１】
マイクロプロセッサ３１４はモード状態格納部３１０に格納されている状態フラグを参照して端末機の動作を制御する。特に，マイクロプロセッサ３１４は外部から受信したデータをデータ格納部３０８に格納するかＬＣＤ表示部３０６に表示する機能を制御する。ここで，マイクロプロセッサ３１４は，使用者がデータ（Ｔｘ  ＤＡＴＡ）を他の移動端末機や他の外部装置に伝送する際は，移動通信網で使用する信号形式に変換するために生成したデータをベースバンド変換部３１８に伝達する。
【００４２】
ＤＳＰ３１６はベースバンド変換部３１８と授受するオーディオもしくは音声データに対して符号化するか復号化するオーディオデータ処理機能を遂行する一方，多重経路の雑音を除去するために，イコライズ機能を遂行するディジタル信号処理プロセッサである。また，ＤＳＰ３１６はベースバンド変換部３１８から受信メッセージデータ（Ｒｘ  ＤＡＴＡ）を受信する。
【００４３】
ベースバンド変換部３１８は，スピーカ３２０，マイクロホン３２２及びＲＦ信号処理部３２６と送受信する信号をベースバンド信号に変換し，ディジタル−アナログ変換及びアナログ−ディジタル変換処理などの機能も遂行する。したがって，ベースバンド変換部３１８はＤＳＰ３１６から受信したオーディオデータをオーディオ信号に変換してスピーカ３２０に出力するか，伝送のためにオーディオデータをＲＦ信号処理部３２６に伝達する一方，マイクロホン３２２から入力されたオーディオ信号をオーディオデータに変換してＤＳＰ３１６に伝送する。
【００４４】
また，ベースバンド変換部３１８はマイクロプロセッサ３１４から入力された送信メッセージデータ（Ｔｘ  ＤＡＴＡ）を送信メッセージ信号（ＴＸＩＱ）に変換してＲＦ信号処理部３２６に出力するか，ＲＦ信号処理部３２６から入力された受信メッセージ信号（ＲＸＩＱ）を受信メッセージデータ（Ｒｘ  ＤＡＴＡ）に変換してＤＳＰ３１６に出力する。
【００４５】
スピーカ３２０はオーディオ信号を可聴音で出力し，マイクロホン３２２は使用者の音声または音響信号をオーディオ信号に変換してベースバンド変換部３１８に伝達する。
【００４６】
アンテナ３２４はＲＦ信号を無線インターフェースに送出するか，無線インターフェースから受信したＲＦ信号をＲＦ信号処理部３２６に伝達する。ＲＦ信号処理部３２６は送信メッセージ信号をＲＦ（Ｒａｄｉｏ  Ｆｒｅｑｕｅｎｃｙ）信号に変換してアンテナ３２４に伝送するかアンテナ３２４から印加されたＲＦ信号を受信メッセージ信号（ＲＸＩＱ）に変換してベースバンド変換部３１８に伝送する。
【００４７】
次に，前記のように構成されたＷＣＤＭＡシステム２００の好ましい動作に対して説明する。
【００４８】
図４は本発明の実施形態に係るＷＣＤＭＡシステムのＱｏＳを利用したハンドオーバー設定過程を示す流れ図である。
【００４９】
まず，ＷＣＤＭＡ網で利用するＱｏＳ関連特性とＱｏＳ等級との関係を探る。表１はＱｏＳ関連パラメータとトラフィッククラスとの関係を表したものである。
【００５０】
【表１】
2006526356.tif 000003
【００５１】
表１に示したように，対話形クラス及びストリーミングクラスはトラフィック優先順位に対するパラメータを除外した全てのパラメータを利用し，双方向型クラスはＳＤＵフォーマット情報，伝送遅延及び保障伝送率に対するパラメータを除外した全てのパラメータを利用する一方，バックグラウンドクラスは最大伝送率，伝送オーダー，最大ＳＤＵサイズ，ＳＤＵエラー率，残余ビットエラー率及びエラーＳＤＵ伝送に対するパラメータを利用することが分かる。
【００５２】
表２はＱｏＳ等級とＱｏＳパラメータを利用してトラフィック優先順位によって定めたＱｏＳ等級を表したものである。
【００５３】
【表２】
2006526356.tif 000004
【００５４】
ここで，ＱｏＳ等級が低いサービスは若干の伝送遅延やビット率の減少があっても全体的なサービスの品質に大きく影響を受けない。したがって，本発明ではＱｏＳ等級が低い４〜６等級であるサービスに対してはハードハンドオーバーを遂行するようにしたのである。
【００５５】
まず，移動端末機２１０は無線基地局２２０に対して呼接続を要求して相手方移動端末機または無線インターネットサーバーと呼接続がなされた状態である。したがって，移動端末機２１０は相手方移動端末機と移動電話通話を遂行するか無線インターネットサーバーとデータを送受信する通信を遂行することになる。
【００５６】
このように，呼接続が維持された状態で，移動端末機２１０が現在位置した地域を所轄する原基地局のセルから近隣の対象基地局のセルに移動することになれば，無線制御局２２４は移動端末機２１０でハンドオーバーを遂行するための測定制御メッセージ（Ｍｅａｓｕｒｅｍｅｎｔ  Ｃｏｎｔｒｏｌ  Ｍｅｓｓａｇｅ）を伝送する（ステップＳ４０２）。
【００５７】
次に，無線制御局２２４は移動端末機２１０の呼接続状態を把握してＱｏＳ等級を判断して，判断したＱｏＳ等級によって新しい無線リンクを設定する(ステップＳ４０４)。例えば，移動端末機２１０が相手方と移動電話通話を遂行する対話形クラスのサービスの場合，無線制御局２２４は移動端末機２１０の現在ＱｏＳ等級を２等級と判断してソフトハンドオーバーに設定する。しかしながら，移動端末機２１０が無線インターネットサーバーなどから電子メールを受信するバックグラウンドクラスのサービスの場合，無線制御局２２４は移動端末機２１０のＱｏＳ等級を６等級と判断してハードハンドオーバーに設定するものである。
【００５８】
以下ではＱｏＳ等級が低い４〜６等級サービスに対してハードハンドオーバーを遂行する過程を例として説明する。
【００５９】
無線制御局２２４は基地局間呼処理のためのＮＢＡＰ（Ｎｏｄｅ  Ｂ  Ａｐｐｌｉｃａｔｉｏｎ  Ｐｒｏｔｏｃｏｌ）プロトコルを利用して対象基地局に無線リンク設定要求（Ｒａｄｉｏ  Ｌｉｎｋ  Ｓｅｔｕｐ  Ｒｅｑｕｅｓｔ）メッセージを伝送する（ステップＳ４０６）。
【００６０】
無線リンク設定要請メッセージに対して，対象基地局は無線制御局２２４と同様に，ＮＢＡＰプロトコルを利用して無線リンク設定応答（Ｒａｄｉｏ  Ｌｉｎｋ  Ｓｅｔｕｐ  Ｒｅｓｐｏｎｓｅ）メッセージを無線制御局２２４に送出する（ステップＳ４０８）。
【００６１】
無線リンク設定応答メッセージを受信した無線制御局２２４は対象基地局にデータ伝送経路設定（Ｄａｔａ  Ｔｒａｎｓｐｏｒｔ  Ｂｅａｒｅｒ  Ｓｅｔｕｐ）メッセージを伝送して対象基地局とデータ伝送経路を設定する（ステップＳ４１０）。
【００６２】
無線制御局２２４とデータ伝送経路が設定されれば，対象基地局は無線制御局２２４に無線リンク活性化表示（Ｒａｄｉｏ  Ｌｉｎｋ  Ｒｅｓｔｏｒｅ  Ｉｎｄｉｃａｔｉｏｎ）メッセージを伝送して無線リンクが設定されたことを知らせることになる（ステップＳ４１２）。
【００６３】
その後，無線制御局２２４はデータフレーム伝送のためのＤＣＨ−ＦＰ（Ｄａｔａ  ＣＨａｎｎｅｌ−Ｆｒａｍｅ  Ｐｒｏｔｏｃｏｌ）プロトコルを利用して対象基地局にデータ伝送の同期化のためのダウンリンク同期（Ｄｏｗｎｌｉｎｋ  Ｓｙｎｃｈｒｏｎｉｚａｔｉｏｎ）メッセージを伝送する（ステップＳ４１４）。
【００６４】
対象基地局はダウンリンク同期メッセージに対して無線制御局２２４にアップリンク同期（Ｕｐｌｉｎｋ  Ｓｙｎｃｈｒｏｎｉｚａｔｉｏｎ）メッセージを伝送する（ステップＳ４１６）。
【００６５】
次に，無線制御局２２４はＲＲＣプロトコルを利用して専用チャネル（ＤＣＣＨ：Ｄｅｄｉｃａｔｅｄ  Ｃｏｎｔｒｏｌ  ＣＨａｎｎｅｌ）を通じて移動端末機２１０にハンドオーバーの遂行を指示するアクティブセットアップデート命令（Ａｃｔｉｖｅ  Ｓｅｔ  Ｕｐｄａｔｅ  Ｃｏｍｍａｎｄ）メッセージを伝送する（ステップＳ４１８）。
【００６６】
無線制御局２２４からのアクティブセットアップデート命令メッセージに対して移動端末機２１０はハンドオーバーを遂行した後，無線制御局２２４にアクティブセットアップデート完了（Ａｃｔｉｖｅ  Ｓｅｔ  Ｕｐｄａｔｅ  Ｃｏｍｐｌｅｔｅ）メッセージを伝送する（ステップＳ４２０）。
【００６７】
移動端末機２１０からハンドオーバーを完了したというアクティブセットアップデート完了メッセージを受信すれば，無線制御局２２４はＮＢＡＰプロトコルを利用して原基地局に無線リンク削除要求（Ｒａｄｉｏ  Ｌｉｎｋ  Ｄｅｌｅｔｉｏｎ  Ｒｅｑｕｅｓｔ）メッセージを伝送する（ステップＳ４２２）。
【００６８】
無線リンク削除要請メッセージを受信した原基地局は無線制御局２２４との送受信を中止し，無線制御局２２４に無線リンク解除応答（Ｒａｄｉｏ  Ｌｉｎｋ  Ｒｅｌｅａｓｅ  Ｒｅｓｐｏｎｓｅ）メッセージを伝送する（ステップＳ４２４）。
【００６９】
したがって，無線制御局２２４と原基地局はデータ伝送経路を解除することになる（ステップＳ４２６）。
【００７０】
本発明の実施形態によれば，移動端末機のＱｏＳ等級が低い呼に対してハードハンドオーバーを遂行してチャネル資源の浪費を最小化するＷＣＤＭＡシステムのサービス品質を利用したハンドオーバー設定方法及びシステムを実現することができる。
【００７１】
以上の説明は本発明の技術思想を例示的に説明したことに過ぎないものであって，本発明が属する技術分野で通常の知識を有する者であれば本発明の本質的な特性から外れない範囲で多様な修正及び変形が可能である。したがって，本発明に開示された実施形態は本発明の技術思想を限定するためのものでなく，説明するためのものであり，このような実施形態によって本発明の技術思想の範囲が限るのではない。本発明の保護範囲は請求範囲によって解析されなければならなくて，それと同等な範囲内にある全ての技術思想は本発明の権利範囲に含まれることと解析されるべきである。
【図面の簡単な説明】
【００７２】
【図１】ＷＣＤＭＡ方式ＩＭＴ−２０００システムの順方向専用物理チャネルのスロット配列を例示的に示す図である。
【図２】本発明の実施形態に係るサービス品質を利用してハンドオーバーを設定するＷＣＤＭＡシステムの構成を概略的に示す構成図である。
【図３】移動端末機の内部構成を概略的に示すブロック構成図である。
【図４】本発明の実施形態に係るＷＣＤＭＡシステムのサービス品質を利用したハンドオーバー設定過程を示す流れ図である。
【符号の説明】
【００７３】
２００    ＷＣＤＭＡシステム
２１０    移動端末機
２２０    無線基地局
２３０    移動交換局
２３２    ホーム位置登録器
２３４    訪問者位置登録器
２４０    ＳＧＳＮ
２５０    ＧＧＳＮ
２６０    パケットデータ網
３０２    プログラムメモリ
３０４    キー入力部
３０６    ＬＣＤ表示部
３０８    データ格納部
３１０    モード状態格納部
３１２    加入者情報格納部
３１４    マイクロプロセッサ
３１６    ＤＳＰ（Ｄｉｇｉｔａｌ  Ｓｉｇｎａｌ  Ｐｒｏｃｅｓｓｏｒ）
３１８    ベースバンド変換部
３２０    スピーカ
３２２    マイクロホン
３２４    アンテナ
３２６    ＲＦ信号処理部
【図１】
2006526356.tif 000005
【図２】
2006526356.tif 000006
【図３】
2006526356.tif 000007
【図４】
2006526356.tif 000008
【国際調査報告】
2006526356.tif 000009
2006526356.tif 000010